(57)【要約】      （修正有）【課題】非対称な挿入末端部とすることで、漏れ防止性を向上させ、かつ、膣内の経血流路内への挿入及び配置が改善されたタンポンを提供する。【解決手段】タンポン２０はＸ軸２１を有し、Ｘ軸２１に垂直であり、かつ互いに垂直であるＹ軸２２及びＺ軸２３を有する。タンポン２０は、挿入縁部２４、挿入末端部２５、中心領域２６、引抜き末端部２７、及び引抜き縁部２８を有する。挿入末端部２５はタンポン２０のＸ軸２１の周りで非対称であり、口紅の先端の形状に形成されている。中心領域２６及び引抜き末端部２７は円筒形であってよい。【選択図】図１
0003171191.tif 000002
【実用新案登録請求の範囲】
【請求項１】
挿入末端部及び引抜き末端部を有する吸収塊を備えるタンポンであって、前記挿入末端部が、前記タンポンのＸ軸の周りで非対称であり、前記引抜き末端部が指用ポケットを含むことを特徴とする自立型タンポン。
【請求項２】
前記挿入末端部が、口紅の先端、彫刻刀、枕、マイナスドライバー、シャベル、靴べら又はくちばしの形状に類似する形状を有する、請求項１に記載の自立型タンポン。
【請求項３】
前記タンポンが、指で挿入するタンポンである、請求項１から２のいずれか一項に記載の自立型タンポン。
【請求項４】
前記吸収塊が、対称である、請求項１から３のいずれか一項に記載のタンポン。
【請求項５】
前記タンポンが、前記タンポンの前記引抜き末端部に取り付けられた引抜きひもを備え、前記引抜きひもが、前記指用ポケット内に少なくとも部分的に配置される、請求項１から４のいずれか一項に記載の自立型タンポン。
【請求項６】
前記引抜きひもが、前記タンポンを少なくとも部分的に取り囲む包装紙と接合し、前記タンポンの挿入前に前記指用ポケットから少なくとも部分的に離れるように適合された、請求項５に記載の自立型タンポン。
【請求項７】
前記タンポンが、前記吸収塊を取り囲む被覆材料を含み、前記被覆材料の一部が前記引抜き末端部から延在して伸長部を形成し、前記伸長部が前記指用ポケット内に押し込まれる、請求項１から６のいずれか一項に記載の自立型タンポン。
【請求項８】
前記被覆材料の前記伸長部が、指用カバーを提供する、請求項７に記載の自立型タンポン。
【請求項９】
前記タンポンが、前記被覆材料の前記伸長部と接合した引抜きひもを備え、前記引抜きひもが少なくとも部分的に前記指用ポケット内に配置され、前記被覆材料の前記伸長部が、前記引抜きひもから少なくとも部分的に伸びることにより、前記指用ポケットから少なくとも部分的に離れる、請求項７又は８のいずれか一項に記載の自立型タンポン。
【考案の詳細な説明】
【技術分野】
【０００１】
本考案は、指で挿入する吸収性タンポン、より具体的には非対称な挿入末端部及び指用ポケットを有する指で挿入する吸収性タンポンに関する。
【背景技術】
【０００２】
生理用タンポンは、典型的には、月経中に経血を吸収するために女性の膣に挿入される。タンポンは、漏れ防止を実現するように、即ちタンポンは、タンポンの使用時、例えば下着の上等の、体の外に経血が漏れるのを防ぐようにすることが望ましい。
【０００３】
最適な漏れ防止のために、適切なタンポンを選択するのを補助するために、タンポンは吸収力により分類される。吸収力は一般に、女性が自身の予測する経血流量に対応する適切な吸収力を有するタンポンを選択できるように規定及び宣伝される。しかしながら、女性は自分が的確なタンポンを選んだと考えているにもかかわらず、予期せぬ漏れを経験することが多い。場合によっては、予期せぬ漏れはタンポンの吸収力が完全に利用される前に生じうるため、タンポンの「初期不具合（early failure）」として分類されうる。かかる漏れは、漏れに対する不安に加えて予測不可能な保護をもたらすため望ましくない。
【０００４】
初期不具合は、例えばタンポンが膣内で誤配置されたときに、経血を遮断できないことに主に関連すると考えられる。膣は、堅い筋組織から構成される頸部を終点とする、高度に変形可能な軟組織から構成される。現在入手可能なタンポンは、対称的に形成された挿入末端部を有する。膣の中央の堅い頸部は、かかるタンポンを変形させ、頸部付近の領域より容易にタンポンに空間を提供できる膣の側面の方へ反れさせる場合がある。タンポンが膣の側面の方へ反れるとき、タンポンの少なくとも一部はもはや頸部からの経血の流路で利用できない可能性がある。したがって、経血の一部はタンポンを迂回し、漏れが発生する可能性がある。
【０００５】
更に、タンポンを膣に挿入する間にタンポンが反れることにより、ユーザは挿入中抵抗感又は押し戻し（push-back）感を感じる可能性があり、ユーザの不快感及び挿入に対する信頼喪失を引き起こす可能性がある。
【考案の概要】
【考案が解決しようとする課題】
【０００６】
このように、漏れ防止の向上した、より信頼性のあるタンポンを提供することが望ましい。膣内の経血流路内への挿入及び配置が改善されたタンポンを提供することもまた望ましい。
【課題を解決するための手段】
【０００７】
本考案は、非対称な挿入末端部及び指用ポケットを備えるタンポンを目的とする。ある実施形態では、タンポンは挿入末端部及び引抜き末端部を有する吸収塊を備える。挿入末端部はタンポンのＸ軸の周りで非対称であることができる。引抜き末端部は指用ポケットを備えることができる。
【図面の簡単な説明】
【０００８】
【図１】非対称な挿入末端部を備えるタンポンの外表面の斜視図。
【図２】図１に示したタンポンの非対称な挿入末端部の断面図。
【図３】非対称な挿入末端部を備えるタンポンの外表面の斜視図。
【図４】図３に示したタンポンの非対称な挿入末端部の断面図。
【図５】非対称な挿入末端部を備えるタンポンの外表面の斜視図。
【図６】図５に示したタンポンの非対称な挿入末端部の断面図。
【図７】非対称な挿入末端部を備えるタンポンの外表面の斜視図。
【図８】図７に示したタンポンの非対称な挿入末端部の断面図。
【図９】非対称な挿入末端部を備えるタンポンの外表面の斜視図。
【図１０】図９に示したタンポンの非対称な挿入末端部の断面図。
【図１１】非対称な挿入末端部を備えるタンポンの外表面の斜視図。
【図１２】図１１に示したタンポンの非対称な挿入末端部の断面図。
【図１３】非対称な挿入末端部を備えるタンポンの外表面の斜視図。
【図１４】図１３に示したタンポンの非対称な挿入末端部の断面図。
【図１５】本考案の一実施形態の斜視図。
【考案を実施するための形態】
【０００９】
本考案は、非対称な挿入末端部及び指用ポケットを備えるタンポンに関する。かかるタンポンのデザインは、挿入中の操作性及び快適性を向上させ、挿入中のタンポンの反れを低減する、経血の流路に対するタンポンの配置を改善する（即ち、膣内でタンポンをより中央に配置する）、及び／又はタンポンによる経血の遮断を改善することができる。タンポンの配置を改善し、反れを低減することにより、初期不具合による漏れを低減できる。挿入の快適性もまた、タンポンの挿入中の抵抗感又は押し戻し感を低減することにより改善できる。
【００１０】
本明細書で使用するとき、用語「タンポン」は、例えば、体液を吸収するため、創傷治癒を補助するため、及び／又は水分若しくは薬剤のような活性物質等の物質を送達するため、膣管又は他の体腔に挿入できる、吸収塊のような任意の種類の吸収性構造を指す。一般に、用語「タンポン」は、圧縮及び／又は成形プロセス後の最終タンポンを指すために用いられる。
【００１１】
本明細書で使用するとき、用語「綿球」は、材料をタンポンに圧縮及び／又は成形する前の吸収性材料を指す。綿球は、時にタンポン半加工品又はソフトワインド（巻き）と呼ばれる。
【００１２】
本明細書で使用するとき、用語「膣管」は、体の外陰部における人間の女性の内性器を指す。用語「膣管」又は「膣内」は、本明細書で使用するとき、膣の入口（時に膣の括約筋と呼ばれる）と頸部との間に位置する空間を指すことを意図する。
【００１３】
用語「指で挿入するタンポン（digital tampon）」は、一般にアプリケータの補助なしでユーザの指で膣管に挿入することを意図されたタンポンを指す。
【００１４】
「タンポンの全長」は、挿入縁部を起点とし、引抜き縁部を終点とするタンポンの長さを指す。タンポンの全長は、任意のオーバーラップ、第２吸収性部材、又は引抜き縁部を終点とする主吸収性材料を越えて延在する引抜きひもを含まない。
【００１５】
用語「挿入縁部」は、タンポンの挿入末端部の明白な末端部を含有する縁部を指し、これはタンポンの挿入時、最初に膣管に入ることを意図する。「挿入末端部」という語句は、挿入縁部を起点とする、タンポンの末端部を指す。
【００１６】
本明細書で使用するとき、用語「非対称な挿入末端部」は、Ｘ軸の周りで非対称であるタンポンの挿入末端部を指す。
【００１７】
本明細書で使用するとき、用語「Ｘ軸」は、タンポンの挿入方向と整列する方向を有し、タンポンの幾何学的重心を含むタンポン内の軸（即ち、タンポンの長手方向「中心線」）を指す。
【００１８】
「Ｙ軸」及び「Ｚ軸」は、「Ｘ軸」に対して垂直に走り、かつ互いに垂直に走るタンポン内の軸である。
【００１９】
本明細書で使用するとき、用語「引抜き縁部」は、引抜き末端部の明白な末端部を含有する縁部を指す。「引抜き末端部」という語句は、引抜き縁部を起点とし、タンポンを膣から取り除くときに最初に膣管から出ることを意図する、挿入末端部に対向するタンポンの末端部を指す。
【００２０】
本明細書で使用するとき、用語「中心領域」は、挿入末端部と引抜き末端部との間に位置するタンポンの部分を指す。
【００２１】
本明細書で使用するとき、用語「先細」は、タンポンの次第に狭くなる部分を指す。例えば、挿入末端部又はその一部が、挿入縁部に近づくにつれて次第に減少する複数の周囲を有するとき、挿入末端部は「先細」である可能性がある。
【００２２】
本明細書で使用するとき、用語「膣の上面」は、一般に膀胱に面する膣の表面を指す。「膣の下面」は、一般に腸管に面する膣の表面である。
【００２３】
本考案のタンポンは、例えば非対称な挿入末端部を備えるように形成されたタンポンのように、非対称な挿入末端部及び指用ポケットを備える。ある実施形態では、タンポンは、例えば円筒形であるような、対称な圧縮形及びＸ軸の周りで非対称であるように形成された挿入末端部を備える。タンポンは、例えば円筒形のように対称な中心領域及び引抜き末端部、並びにＸ軸の周りで非対称な挿入末端部を備えてよい。
【００２４】
非対称な挿入末端部は、対称に形成された挿入末端部を有する、現在入手可能な円筒形のタンポンと比較して、膣内のタンポンの配置を改善するのに好適な任意の形状であってよい。非対称な端部の好適な形状としては、例えば、口紅の先端、彫刻刀、枕、マイナスドライバー、シャベル、靴べら、又はくちばしの形状に類似する形状が挙げられる。
【００２５】
ある実施形態では、非対称な挿入末端部を含むタンポンは、挿入中頸部の周りのタンポンの反れを低減でき、かつ例えばより多くのタンポンを頸部からの経血の流路で利用可能な状態にすることができる。これは、経血の遮断を改善でき、かつ初期不具合の可能性を低減できる。非対称な挿入末端部を備えるタンポンは、タンポンの挿入中の抵抗感又は押し戻し感を低減することにより、挿入時の快適性を向上させることができる。
【００２６】
ある実施形態では、本考案のタンポンの挿入中、挿入末端部の配向は、例えば挿入末端部の任意の他の側面よりＸ軸に対する角度が小さい側面及び／又は角度を成す面を含む側面のような挿入末端部の側面が、膣の上面に面するように制御できる。指で挿入する場合、制御配向をユーザに指示することができる。あるいは、配向は例えば角度を成して切断された引抜き末端部、へこみ、凹部及び／若しくはポケット、角度を成して切断された指用カバー、又は任意の他の好適なデザインのような、ユーザの指上におけるタンポンの適切な配向を促進するための任意の好適なデザインのタンポンにより実現することもできる。
【００２７】
本考案の指用ポケットは、タンポンの引抜き末端部に形成されるへこみ、凹部、ポケット及び／又は空洞であってよい。指用ポケットは、タンポンの引抜き縁部の方へ開くことができる。典型的には、ユーザは、タンポンを操縦して挿入するため、ポケット内に指を入れることができる。ある実施形態では、指用ポケットは、タンポンのより正確な操作及び／又は配置を可能にすることができる。指用ポケットは、タンポンの購入時には隠されていてよく、例えば、包装紙の一部を取り除く瞬間、引抜きひもを少なくとも部分的に伸ばす瞬間、並びに／又はタンポンの引抜き縁部を広げる、及び／若しくは緩める瞬間等の、ユーザが挿入のためにタンポンを開封する、及び／又は準備すると現れることができる。
【００２８】
図１は、本考案のタンポン２０の一実施形態を示す。タンポン２０はＸ軸２１を有する。タンポン２０は、Ｘ軸２１に垂直であり、かつ互いに垂直であるＹ軸２２及びＺ軸２３を有する。タンポン２０は、挿入縁部２４、挿入末端部２５、中心領域２６、引抜き末端部２７、及び引抜き縁部２８を有する。図１に示すように、挿入末端部２５はタンポン２０のＸ軸２１の周りで非対称であり、口紅の先端の形状に形成されている。中心領域２６及び引抜き末端部２７は円筒形であってよい。
【００２９】
図２は、Ｘ軸２１を含みＹ軸２２又はＺ軸２３に垂直である平面上の、図１の非対称な挿入末端部２５の断面図を示す。図２に示すように、非対称な挿入末端部２５は、Ｘ軸２１の周りで非対称であり、例えばＸ軸２１に対して角度を成す面２９を有する非対称な挿入末端部のような、口紅の先端の形状に形成されている。面２９の縁部は丸みを帯びていてよい。Ｘ軸２１に垂直な断面は、半円形であってよい。
【００３０】
図３は、本考案のタンポン２０の一実施形態を示す。タンポン２０はＸ軸２１を有する。タンポン２０は、Ｘ軸２１に垂直であり、かつ互いに垂直であるＹ軸２２及びＺ軸２３を有する。タンポン２０は、挿入縁部２４、挿入末端部２５、中心領域２６、引抜き末端部２７、及び引抜き縁部２８を有する。図３に示すように、挿入末端部２５はタンポン２０のＸ軸２１の周りで非対称であり、彫刻刀の形状に形成されている。中心領域２６及び引抜き末端部２７は円筒形であってよい。
【００３１】
図４は、Ｘ軸２１を含み、Ｙ軸２２又はＺ軸２３に垂直である平面上の、図３の非対称な挿入末端部２５の断面図を示す。図４に示すように、非対称な挿入末端部２５は、Ｘ軸２１の周りで非対称であり、Ｘ軸２１に対して角度を成す２つの対向する面２９を有する非対称な挿入末端部のような、彫刻刀の形状に形成されている。２つの対向する面２９は交わり、直線状の挿入縁部３０を形成できる。ある実施形態では、面２９の縁部は丸みを帯びていてよい。Ｘ軸２１に垂直な断面は、例えば矩形から長円形（racetrack-shaped）であってよい。
【００３２】
図５は、本考案のタンポン２０の一実施形態を示す。タンポン２０はＸ軸２１を有する。タンポン２０は、Ｘ軸２１に垂直であり、かつ互いに垂直であるＹ軸２２及びＺ軸２３を有する。タンポン２０は、挿入縁部２４、挿入末端部２５、中心領域２６、引抜き末端部２７、及び引抜き縁部２８を有する。図５に示すように、挿入末端部２５はタンポン２０のＸ軸２１の周りで非対称であり、枕の形状に形成されている。中心領域２６及び引抜き末端部２７は円筒形であってよい。
【００３３】
図６は、Ｘ軸２１を含み、Ｙ軸２２又はＺ軸２３に垂直である平面上の、図５の非対称な挿入末端部２５の断面図を示す。図６に示すように、非対称な挿入末端部２５は、Ｘ軸２１の周りで非対称であり、例えば挿入縁部２４に向かって次第に先細になる、及び／又は平坦になることができる凸面を形成する１つ以上の面２９を有する非対称な挿入末端部のような、枕の形状に形成されており、これは湾曲した隆起部を形成できる。１つ以上の面２９の縁部は丸みを帯びていてよい。Ｘ軸２１に垂直な断面は、楕円形であってよい。
【００３４】
図７は、本考案のタンポン２０の一実施形態を示す。タンポン２０はＸ軸２１を有する。タンポン２０は、Ｘ軸２１に垂直であり、かつ互いに垂直であるＹ軸２２及びＺ軸２３を有する。タンポン２０は、挿入縁部２４、挿入末端部２５、中心領域２６、引抜き末端部２７、及び引抜き縁部２８を有する。図７に示すように、挿入末端部２５はタンポン２０のＸ軸２１の周りで非対称であり、マイナスドライバーの形状に形成されている。中心領域２６及び引抜き末端部２７は円筒形であってよい。
【００３５】
図８は、Ｘ軸２１を含み、Ｙ軸２２又はＺ軸２３に垂直である平面上の、図７の非対称な挿入末端部２５の断面図を示す。図８に示すように、非対称な挿入末端部２５は、Ｘ軸２１の周りで非対称であり、例えばＸ軸２１に対して角度を成す２つの対向する面２９を有する非対称な挿入末端部のような、マイナスドライバーの形状に形成されている。２つの対向する面２９は交わり、直線状の挿入縁部２４を形成できる。面２９の縁部は先細になり、狭い場合がある突出部を形成できる。Ｘ軸２１に垂直な断面は、例えば矩形から長円形（racetrack-shaped）であってよい。
【００３６】
図９は、本考案のタンポン２０の一実施形態を示す。タンポン２０はＸ軸２１を有する。タンポン２０は、Ｘ軸２１に垂直であり、かつ互いに垂直であるＹ軸２２及びＺ軸２３を有する。タンポン２０は、挿入縁部２４、挿入末端部２５、中心領域２６、引抜き末端部２７、及び引抜き縁部２８を有する。図９に示すように、挿入末端部２５はタンポン２０のＸ軸２１の周りで非対称であり、シャベルの形状に形成されている。中心領域２６及び引抜き末端部２７は円筒形であってよい。
【００３７】
図１０は、Ｘ軸２１を含み、Ｙ軸２２又はＺ軸２３に垂直である平面上の、図９の非対称な挿入末端部２５の断面図を示す。図１０に示すように、非対称な挿入末端部２５は、Ｘ軸２１の周りで非対称であり、例えばＸ軸２１に対して角度を成す２つの対向する面２９を有する非対称な挿入末端部のような、シャベルの形状に形成されている。２つの対向する面２９は交わり、直線状の挿入縁部２４を形成できる。１つの面２９は凹面であってよく、対向する面２９は凸面であってよい。面２９の縁部は丸みを帯びていてよい。Ｘ軸２１に垂直な断面は、三日月形であってよい。
【００３８】
図１１は、本考案のタンポン２０の一実施形態を示す。タンポン２０はＸ軸２１を有する。タンポン２０は、Ｘ軸２１に垂直であり、かつ互いに垂直であるＹ軸２２及びＺ軸２３を有する。タンポン２０は、挿入縁部２４、挿入末端部２５、中心領域２６、引抜き末端部２７、及び引抜き縁部２８を有する。図１１に示すように、挿入末端部２５はタンポン２０のＸ軸２１の周りで非対称であり、靴べらの形状に形成されている。中心領域２６及び引抜き末端部２７は円筒形であってよい。
【００３９】
図１２は、Ｘ軸２１を含み、Ｙ軸２２又はＺ軸２３に垂直である平面上の、図１１の非対称な挿入末端部２５の断面図を示す。図１２に示すように、非対称な挿入末端部２５は、Ｘ軸の周りで非対称であり、Ｘ軸２１に対して角度を成し、凹面であってよい面２９を有する非対称な挿入末端部のような、靴べらの形状に形成されている。面２９の縁部は丸みを帯びていてよい。Ｘ２１に垂直な断面は、三日月形であってよい。
【００４０】
図１３は、本考案のタンポン２０の一実施形態を示す。タンポン２０はＸ軸２１を有する。タンポン２０は、Ｘ軸２１に垂直であり、かつ互いに垂直であるＹ軸２２及びＺ軸２３を有する。タンポン２０は、挿入縁部２４、挿入末端部２５、中心領域２６、引抜き末端部２７、及び引抜き縁部２８を有する。図１３に示すように、挿入末端部２５はタンポン２０のＸ軸２１の周りで非対称であり、くちばしの形状に形成されている。中心領域２６及び引抜き末端部２７は円筒形であってよい。
【００４１】
図１４は、Ｘ軸２１を含み、Ｙ軸２２又はＺ軸２３に垂直である平面上の、図１３の非対称な挿入末端部２５の断面図を示す。図１４に示すように、非対称な挿入末端部２５は、Ｘ軸の周りで非対称であり、挿入縁部２４に向かって次第に先細になる、及び／又は平坦になることができる凸面を形成する１つ以上の面２９を有する非対称な挿入末端部のような、くちばしの形状に形成されており、これは湾曲した隆起部を形成できる。表面の一部は平坦であってよい。１つ以上の面２９の縁部は湾曲した隆起部を形成できる。Ｘ軸２１に垂直な断面は、長円形（racetrack-shaped）から楕円形、砂時計形であってよい。
【００４２】
図１５は、本考案のタンポン２０の斜視図を示す。タンポン２０は、挿入縁部２４、挿入末端部２５、中心領域２６、引抜き末端部２７、及び引抜き縁部２８を有する。図１５に示すように、指用ポケット３５は、タンポン２０の引抜き末端部２７に位置することができる。指用ポケット３５は、引抜き縁部２８に開口部を形成できる。
【００４３】
指用ポケットの開口部は、指用ポケット内にユーザの指の一部を置くのに適切な大きさのような、任意の好適な大きさであってよい。ある実施形態では、指用ポケットの開口部は、タンポンの引抜き縁部と等しい直径を有してよい。指用ポケットは、あるいは、タンポンの引抜き縁部より小さい直径を有してよい。例えば、指用ポケットは、タンポンの直径の約９０％、約８０％、約７０％、約６０％、約５０％以下の直径を有してよい。
【００４４】
指用ポケットの深さは、指用ポケット内にユーザの指の一部を置くのに好適な、任意の深さであってよい。好適な深さとしては、例えば、約５ｍｍ、約１０ｍｍ、約１５ｍｍ、又は任意の好適な深さが挙げられる。ある実施形態では、ユーザは、例えば、引抜き末端部を広げる、及び／又はひもを移動する、及び／又は空洞の外へ過剰なオーバーラップを引き出すことにより、深さを調節できる。
【００４５】
タンポンの全長は、Ｘ軸に沿って挿入末端部から引抜き末端部まで測定できる。ある実施形態では、人間が使用するための典型的なタンポンは、幅約１０〜約１６ｍｍ、長さ約３０〜約６０ｍｍであってよく、吸収力に依存する場合が多いが、任意の好適な幅及び長さであってよい。他の哺乳類の場合、典型的なタンポンの寸法は、具体的な膣管形状の差に基づいて変動してよい。
【００４６】
ある実施形態では、挿入末端部は挿入縁部を起点としてよく、挿入縁部からＸ軸に沿ってタンポンの全長の約１／３の所を終点としてよい。したがって、挿入末端部の全長は、タンポンの全長の約１／３であってよい。挿入末端部は、例えば、タンポンの全長の約１／１０、約１／８、約１／５、約１／３、又は約１／２のような、任意の好適な長さであってよい。挿入末端部の長さが変動すると、それに応じて中心領域及び／又は引抜き末端部の長さも変化してよい。ある実施形態では、引抜き末端部は挿入縁部からＸ軸に沿ってタンポンの全長の約２／３の所を起点としてよく、引抜き縁部を終点としてよい。引抜き末端部は、例えば、タンポンの全長の約１／１０、約１／８、約１／５、約１／３又は約１／２のような、任意の好適な長さであってよい。
【００４７】
タンポン及びその任意の構成要素は、単一材料又は材料の組み合わせを含んでよい。タンポン用材料を、例えば、エアレイイング、カーディング、ウェットレイイング、水流交絡、又は他の既知の技術のような任意の好適なプロセスにより、タンポンで使用するのに好適な布地、ウェブ、又は芯に成形できる。
【００４８】
タンポンは、吸収性物品で使用するのに好適な広範な液体吸収性材料から構成され得る綿球から形成できる。かかる材料としては、例えば、レーヨン（ドイツケルハイム（Kelheim）のケルハイム・ファイバー社（Kelheim Fibres GmbH）から入手可能なギャラクシー（GALAXY）レーヨン（三葉（tri-lobed）レーヨン）又はダヌフィル（DANUFIL）レーヨン（円形レーヨン））、木綿、折りたたまれたティッシュ、織布材料、不織布ウェブ、合成及び／又は天然の繊維若しくはシート、エアフェルトと呼ばれる粉砕木材パルプ、発泡体、又はこれらの材料の組み合わせが挙げられる。他の好適な材料の例としては、縮みセルロース詰め物、コフォームを含むメルトブローポリマー、化学的に剛化、変性、又は架橋されたセルロース繊維、けん縮ポリエステル繊維のような合成繊維、ピートモス、発泡体、ティッシュラップ及びティッシュラミネートを含むティッシュ、任意の同等の材料若しくは材料の組み合わせ、又はこれらの混合物が挙げられる。更に、超吸収性ポリマー又は吸収性ゲル材料のような超吸収性材料をタンポンに組み込んでもよい。
【００４９】
綿球は、圧縮及び／又は成形前、任意の好適な形状、大きさ、材料又は構造であってよい。例えば、綿球としては、円形、楕円形、半円形、三角形、山形、Ｈ字形、蝶ネクタイ形、又は例えば、米国特許第３，７３８，３６４号、同第５，９１１，７１２号、同第６，７４０，０７０号、同第６，８８７，２６６号、及び同第６，９５３，４５６号に記載された形状のような、任意の他の好適な形状の、吸収体の圧延された管状又は平坦な構造を挙げることができる。
【００５０】
ある実施形態では、タンポンはその使用前の一般的形状及び大きさを保持する「自立型（self-sustaining）」であってよい。タンポン綿球は、圧縮及び／又は成形され、例えば非対称な挿入末端部のような、パッケージ化及び／又は使用前に所定の形状及び／又は大きさを有する自立型タンポンを形成できる。ある実施形態では、自立型タンポンは、典型的には使用前に剛性であってよい。
【００５１】
ある実施形態では、タンポンは非対称な挿入末端部を有するように形成できる。例えば、タンポンは、例えば、アプリケータ及び／若しくは包装紙等にタンポンをパッケージ化する前、並びに／又は、消費者が購入及び／若しくは使用する前、非対称な挿入末端部を含むように、圧縮又は別の方法で構築できる。ある実施形態では、タンポンの中心領域及び／又は引抜き末端部を円筒形状に圧縮できるが、他の形状も可能である。これらとしては、矩形、三角形、台形、半円形、砂時計、又は他の好適な形状として説明される横断面又は横断面要素を有する形状を挙げることができる。
【００５２】
ある実施形態では、タンポンは、放射状に圧縮され圧延された構造を有するタンポンであってよい。タンポンは、綿球を圧延し、放射状に圧縮することにより構築できる。綿球は、マンドレルの周囲で転がされ、次いでマンドレル有り又は無しで圧縮できる。ある実施形態において、マンドレルを取り除いた後に残された空洞が、指用ポケットを提供する。タンポンはまた、プッシュロッドによるダイの形成において、例えば円筒形綿球のように、綿球に圧力をかけることにより構築することもできる。指用ポケットは、ダイ又はプッシュロッドの形成において凸部に押し付けられた半加工品の一部に形成することもできる。引抜きひもは、圧縮前に、空洞内に少なくとも部分的に配置できる。ある実施形態では、ひもの少なくとも一部は、最終タンポンの引抜き末端部に突き刺すことができる。
【００５３】
本考案で有用な引抜きひもは、例えば木綿及びレーヨンのような任意の好適な材料で作製できる。ある実施形態では、引抜きひもは、引抜き末端部から延在して、タンポンの挿入前に少なくとも部分的に指用ポケット内に配置できる。引抜きひもは、ユーザがタンポンを挿入する準備をするとき、指から少なくとも部分的に離れてよい。ある実施形態では、引抜きひもは、包装紙の少なくとも一部を取り除くとき、自動的に展開され得るように、タンポンの包装紙の一部に接合してよい。引抜きひもと包装紙との接合は、引抜きひもの展開中接合が維持され、引抜きひもが少なくとも部分的に伸長するとき切れるような強度を有してよい。ある実施形態では、引抜きひもの展開中接合を維持することができ、引抜きひもが完全に伸長したとき切れてよい。
【００５４】
タンポンはあるいは、１つ以上のオーバーラップも含んでよい。オーバーラップは、例えば、レーヨン、木綿、２成分繊維、ポリエチレン、ポリプロピレン、当該技術分野において既知である他の好適な天然又は合成繊維、及びこれらの混合物のような、任意の好適な材料であってよい。ある実施形態では、タンポンは、圧縮されたタンポンを取り囲むオーバーラップ材料を含んでよい。
【００５５】
ある実施形態では、オーバーラップはタンポンの引抜き末端部から延在することができる。過剰なオーバーラップは指用ポケット内に押し込まれてよい。ユーザがタンポンを挿入する準備をするとき、過剰なオーバーラップは指用ポケットから引抜き、指用カバー又は吸収性スカートを提供できる。ある実施形態では、過剰なオーバーラップは、包装紙の一部が取り除かれるとき自動的に展開され得るように、タンポンの包装紙の一部と接合してよい。過剰なオーバーラップと包装紙との接合は、展開中維持され、次いで、過剰なオーバーラップが完全に広がると破断してオーバーラップを分離するような強度を有してよい。ある実施形態では、過剰なオーバーラップはひもと接合し、ひもとともに指用ポケットに押し込まれてよい。
【００５６】
タンポンはあるいは、例えばタンポンの引抜き末端部に近接する引抜きひもに取り付けられた第２吸収性材料の塊のような、第２吸収性部材も含んでよい。好適な第２吸収性部材は、例えば米国特許第６，２５８，０７５号に記載されている。
【００５７】
ある実施形態において、過剰なオーバーラップはひもと接合し、圧縮前に空洞に押し込むことができる。ユーザは、ユーザがひもを引っ張って伸ばす、及び／又はひもの末端部と接合している包装紙の一部を取り除くのと同時に、ひも、指用カバー及び／又は吸収性スカートを形成できる過剰なオーバーラップ、並びに指用ポケットの全てを展開できる。したがって、指用ポケットは、挿入のための開封及び／又は準備前には、初めはタンポン内に存在していない、及び／又は見えていなくてよいが、ユーザが挿入のために開封及び／又は準備すると特定の深さが現れることができる。
【００５８】
タンポンは所望により、消費者にその中にパッケージ化されたタンポンを視覚的に示すために、タンポンの外表面に適合する包装紙を使用できる。かかる包装紙は、タンポンが指で使用するとき、及び／若しくは使用前にアプリケータに収容されないことを意図するときに特に有用である。包装紙は、各タンポンを封入し、挿入及び使用前に取り除くことができる。
【００５９】
包装紙は、任意の好適な方法で作製できる。用いる包装紙材料は、タンポンを衛生的に包装するのに使用するために好適な任意の材料であってよい。好適な包装紙材料としては、例えば、ポリエチレン、ポリプロピレン、ポリエステル、ポリスチレン、ＰＥＴ（ポリエチレンテレフタレート）、セロファン、ポリアミド、ポリ（塩化ビニル）、エチレン−ビニルアセテートコポリマー等で作製された高分子フィルム、合成又は天然（例えばゴム）エラストマー、金属ホイル（例えば、アルミホイル）のような閉鎖性材料、不織布、織布、スクリム、メッシュ及び紙のような非閉鎖性若しくは多孔質材料、又は任意の他の好適な材料が挙げられる。包装紙は、例えば約１ｍｍ未満の厚さを有するフィルムのような、１種類以上の可撓性高分子フィルムを含んでよい。包装紙は、例えば、熱収縮、ヒートシール、接着剤、圧力、延伸、積層、コーティング、糊付け、エンボス加工、圧着、縫い付け、縫製、絡み、機械的連結、常温圧接、超音波結合及び／又はこれらの組み合わせを含む、任意の好適な技術を用いて作製でき、またタンポンに適用できる。
【００６０】
包装紙は、少なくとも１本の脆弱線を含む開封手段を備えてよい。この開封手段は、包装紙の開封時、包装紙材料が１片を超える包装紙材料に分離することを防ぎ、又は低減できる。例えば、脆弱線は、包装紙の断片化をもたらす可能性がある包装紙の開封時、包装紙の一部がはぎ取られるのを防ぐために、長さ及び周囲に関して包装されたタンポンの一部の周りでのみ延在できる。
【００６１】
本明細書に開示される寸法及び値は、列挙された正確な数値に厳しく限定されるものとして理解されるべきではない。それよりむしろ、特に指定されない限り、こうした各寸法は、列挙された値とその値周辺の機能的に同等の範囲との両方を意味することを意図する。例えば、「４０ｍｍ」として開示された寸法は、「約４０ｍｍ」を意味することを意図する。
【００６２】
「考案を実施するための形態」で引用した全ての文献は、関連部分において本明細書に参照により組み込まれるが、いずれの文献の引用も、それが本考案に対する先行技術であることを容認するものと解釈されるべきではない。この文書における用語のいずれかの意味又は定義が、参考として組み込まれる文献における用語のいずれかの意味又は定義と対立する範囲については、本文書におけるその用語に与えられた意味又は定義を適用するものとする。
【００６３】
本考案の特定の実施形態が説明及び記載されてきたが、本考案の趣旨及び範囲から逸脱することなく他の様々な変更及び修正を行えることが当業者には明白であろう。したがって、本考案の範囲内にあるそのような全ての変更及び修正を添付の実用新案登録請求の範囲で扱うものとする。
【図１】
0003171191.tif 000003
【図２】
0003171191.tif 000004
【図３】
0003171191.tif 000005
【図４】
0003171191.tif 000006
【図５】
0003171191.tif 000007
【図６】
0003171191.tif 000008
【図７】
0003171191.tif 000009
【図８】
0003171191.tif 000010
【図９】
0003171191.tif 000011
【図１０】
0003171191.tif 000012
【図１１】
0003171191.tif 000013
【図１２】
0003171191.tif 000014
【図１３】
0003171191.tif 000015
【図１４】
0003171191.tif 000016
【図１５】
0003171191.tif 000017